(57)【要約】【課題】  本考案は、ゴミ出し入れの負担を軽減し、安全に使用できる物品保管庫を提供することにある。【解決手段】  上面に開口を有する有底箱形の保管庫本体１と、該本体１の上面開口を開閉する蓋体７とから構成する物品保管庫において、本体１は、前面板２を上下に分割して上前面板２ａと下前面板２ｂを構成し、上前面板２ａを下前面板２ｂに対して回動自在に設け、上前面板２ａと下前面板２ｂとで面一の前面板２を形成する閉状態と、上前面板２ａを回動させて前面上部に開口を形成する開状態とに変位可能とし、閉状態を保持するストッパー部材１１と、開状態で上前面板２ａと下前面板２ｂの接触を防ぐ緩衝スペーサ１４とを備えたことを特徴とする。【選択図】図３
0003203484.tif 000002
【実用新案登録請求の範囲】
【請求項１】
上面に開口を有する有底箱形の保管庫本体と、該本体の上面開口を開閉する蓋体とから構成する物品保管庫において、
前記本体は、前面板を上下に分割して上前面板と下前面板を構成し、上前面板を下前面板に対して回動自在に設け、上前面板と下前面板とで面一の前面板を形成する閉状態と、上前面板を回動させて前面上部に開口を形成する開状態とに変位可能とし、閉状態を保持するストッパー部材と、開状態で上前面板と下前面板との接触を防ぐ緩衝スペーサとを備えたことを特徴とする物品保管庫。
【考案の詳細な説明】
【技術分野】
【０００１】
本考案は、家庭等の各種袋詰めされたゴミや灯油ポリタンク等を保管するのに好適な物品保管庫に関するものである。
【背景技術】
【０００２】
この種の物品保管庫に関して、本出願人は特許文献１を提案している。特許文献１は、袋詰めのゴミを屋外で一時保管しておくためのゴミ収納庫で、有底箱状の本体の上部開口に蓋体を開閉自在に取り付け、保管したゴミを出し入れするように構成されている。
【０００３】
このような従来のゴミ収納庫では、蓋体を開放した状態で本体の高さ分だけゴミを持ち上げて収納物を出し入れする必要があるため、ゴミの重量によってはかなりの重労働になる。また、収納物を出し入れしている際に、衝撃等によって蓋体が閉じてしまうことがあり、危険であった。
【先行技術文献】
【特許文献】
【０００４】
【特許文献１】特開２０００−３３５７０３号公報
【考案の概要】
【考案が解決しようとする課題】
【０００５】
本考案が解決すべき課題は、ゴミ出し入れの負担を軽減し、安全に使用できる物品保管庫を提供することにある。
【課題を解決するための手段】
【０００６】
このような課題を解決するために本考案は、上面に開口を有する有底箱形の保管庫本体と、該本体の上面開口を開閉する蓋体とから構成する物品保管庫において、本体は、前面板を上下に分割して上前面板と下前面板を構成し、上前面板を下前面板に対して回動自在に設け、上前面板と下前面板とで面一の前面板を形成する閉状態と、上前面板を回動させて前面上部に開口を形成する開状態とに変位可能とし、閉状態を保持するストッパー部材と、開状態で上前面板と下前面板との接触を防ぐ緩衝スペーサとを備えたことを特徴とする。
【考案の効果】
【０００７】
本考案によれば、本体の上前面板を回動自在に設けたので、本体前面の高さを低くして、ゴミを出し入れする際の負担を軽減することができる。この際、上前面板を閉状態で保持することで、保管庫の収納量は減ることがない。上前面板を回動して下前面板の前面に折り畳んだとき、緩衝スペーサによって上前面板と下前面板との接触を防ぎ、前面板が損傷することがない。また、本体上面と前面に広い間口が得られるため、本体内の掃除がし易い。
【０００８】
加えて、蓋体の閉蓋状態で本体との間に把手部を形成し、蓋体の開閉時に手を差し入れるスペースが確保されるため、手指等を詰める心配がなく安全に使用できるとともに、本体内にゴミ等の臭気がこもらず快適に使用できる。
【図面の簡単な説明】
【０００９】
【図１】本考案の物品保管庫の外観斜視図である。
【図２】同保管庫の上前面板２ａと蓋体７を開放した状態を示す外観斜視図である。
【図３】同保管庫の側面断面図である。
【図４】同保管庫のストッパー部材１１を示す説明図である。
【考案を実施するための形態】
【００１０】
以下、図面を基に本考案の一実施例について説明する。本考案の物品保管庫は、例えばゴミ袋や灯油タンク等の保管・収納に使用するものである。
【００１１】
１は保管庫本体で、前面板２・背面板３・左側面板４・右側面板５及び底板６を組み合わせて上面を開放した有底箱状に形成され、上面開口に蓋体７が取り付けられている。前面板２及び背面板３は、左右両側面板４・５に対して上端が低くなるように取り付けられ、蓋体７を閉じた状態で前面板２及び背面板３の上方に隙間Ｓ１を形成し、本体内の通気性を確保している。また、左右両側面板４・５は、底部に本体脚８を取り付け、底板６と設置面との間に隙間Ｓ２を形成し、底板６に設けた通気口９と合わせて本体内の通気性を確保している。
【００１２】
前面板２は、略中心位置で上下に分割されて上前面板２ａと下前面板２ｂを形成し、上前面板２ａの下面部と下前面板２ｂの上面部を蝶番１０・１０で連結して、上前面板２ａが下前面板２ｂに対して前方に回動するように構成されている。上前面板２ａは、その上部両側面に設けたストッパー部材１１・１１及び左右側面板４・５の前方上部に設けた規制棒１２・１２により下前面板２ｂと面一となる閉状態に保持される。下前面板２ｂは、蝶番１０により生じる上前面板２ａと下前面板２ｂとの隙間を遮蔽するための立上部１３を上面後縁部に形成するとともに、前面下部に開状態の上前面板２ａが当接する緩衝スペーサ１４を備えている。
【００１３】
ストッパー部材１１・１１は、上前面板２ａの上部両側面に取り付けられるベース部１１ａと、このベース部上を左右方向で進退し、上前面板２ａの側面から側部に突出させた施錠位置と、上前面板２ａの側面に収容させた解除位置との間で移動するシリンダ部１１ｂとからなる。規制棒１２・１２は、左右側面板４・５の前方上部にネジ止め固定され、閉状態の上前面板２ａの背面上部を支持する。
【００１４】
蓋体７は、本体１の背面板３上縁部に、ヒンジ部材１５・１５を介して枢着され、上下方向に回動自在に取り付けられる。蓋体７の奥行き寸法は、本体１の奥行きより大きく構成され、本体１上面開口の全体を覆い、前端が本体１の前面板２よりも前方へ張り出すことで、本体１の前面板２及び背面板３の上方に形成される隙間Ｓ１・Ｓ２をカバーし、風雨の浸入を防ぎ、内部のゴミを目隠しする。また、蓋体７の前縁中央部には、把手部材１６が取り付けられ、この把手部材１６を把持しながら蓋体７の開閉動作を行うことができる。
【００１５】
通気口９は、本体１内に残ってしまったゴミなどを外に掃き出す排出口を兼用し、使用時は着脱自在な蓋部材１７が嵌め込まれ、清掃時以外はゴミが外にこぼれないようになっている。蓋部材１７は、メッシュ材や多孔性板材等を使用して通気性が確保され、通気口９から本体１上部の隙間Ｓ１・Ｓ２に空気の流れを生じさせて本体１内に臭気がこもることを防止する。
【００１６】
このように構成する物品保管庫は、図１に示す閉蓋状態から蓋体７を開き、本体１内にゴミ袋やポリタンク等を収容して使用される。本体１内に物品を出し入れする際、図２に示すように蓋体７と上前面板２ａを開くことにより、本体１上面に広い開口が形成されるとともに前面板２が低くなることで、物品の出し入れが容易となる。
【００１７】
上前面板２ａを開く場合は、図３に示すようにストッパー部材１１・１１のシリンダ部１１ｂを施錠位置（実線）から解除位置（点線）に変位させることで、シリンダ部１１ｂの嵌合が外れて上前面板２ａを前方に回動させることができる。開いた上前面板２ａは、下前面板２ｂの下部に設けた緩衝スペーサ１４と接触して下前面板２ｂの前面と正対した開状態に折り畳まれる。
【００１８】
上前面板２ａを閉じる場合は、下前面板２ｂと面一になるまで回動させ、ストッパー部材１１・１１のシリンダ部１１ｂを解除位置（点線）から施錠位置（実線）に変位させることで、閉状態に固定される。この閉状態は、ストッパー部材１１・１１と規制棒１２により保持される。
【００１９】
上記実施例では、板金製の箱形のゴミ収納庫の例について説明したが、これに限るものではなく、木や合成樹脂等から成るものや、円筒型やかまぼこ型等どのような形態のものでもよい。
【符号の説明】
【００２０】
１  本体
２  前面板
２ａ  上前面板
２ｂ  下前面板
７  蓋体
１１  ストッパー部材（保持手段）
１４  緩衝スペーサ
１５  ヒンジ部材（枢着手段）
【図１】
0003203484.tif 000003
【図２】
0003203484.tif 000004
【図３】
0003203484.tif 000005
【図４】
0003203484.tif 000006